(57)【要約】【課題】フィールド機器の状態を示す機器情報を有効に利用することができる機器情報管理システムを提供する。【解決手段】機器管理装置２は、機器情報をフィールド機器１ａ，１ｂ，１ｃ，・・・からオンライン収集して格納部３に蓄積する蓄積手段２１と、格納部３に蓄積された上記機器情報に基づく情報処理を実行する情報処理手段２２と、情報処理手段２２による情報処理の結果をレポートとして出力するレポート出力手段２３と、を備える。情報処理手段２２による情報処理は、フィールド機器における異常、またはフィールド機器におけるイベントに関する情報処理であってもよい。【選択図】図１
2011215917.tif 000002
【特許請求の範囲】
【請求項１】
プラントに配置されたフィールド機器の状態を示す機器情報を管理する機器情報管理システムにおいて、
前記機器情報を前記フィールド機器から収集して履歴情報として蓄積する蓄積手段と、
前記蓄積手段により蓄積された前記機器情報に基づく情報処理を実行する情報処理手段と、
前記情報処理手段による前記情報処理の結果をレポートとして出力するレポート出力手段と、
を備えることを特徴とする機器情報管理システム。
【請求項２】
前記情報処理手段による前記情報処理は、前記フィールド機器における異常、または前記フィールド機器におけるイベントに関する情報処理であることを特徴とする請求項１に記載の機器情報管理システム。
【請求項３】
前記機器情報は時刻と対応付けられた情報であり、前記情報処理手段による前記情報処理の対象とされる前記機器情報は、それに対応付けられた前記時刻をキーとして抽出されたものであることを特徴とする請求項１または２に記載の機器情報管理システム。
【請求項４】
前記機器情報には当該フィールド機器の属性を示す属性情報が含まれ、前記情報処理手段による前記情報処理の対象とされる前記機器情報は、前記属性情報をキーとして抽出されたものであることを特徴とする請求項１〜３のいずれか１項に記載の機器情報管理システム。
【請求項５】
プラントに配置されたフィールド機器の状態を示す機器情報を管理する機器情報管理方法において、
前記機器情報を前記フィールド機器から収集して蓄積する蓄積ステップと、
前記蓄積ステップにより蓄積された前記機器情報に基づく情報処理を実行する情報処理ステップと、
前記情報処理ステップによる前記情報処理の結果をレポートとして出力するレポート出力ステップと、
をコンピュータに実行させ、
前記情報処理ステップによる前記情報処理は、前記フィールド機器における異常、または前記フィールド機器におけるイベントに関する情報処理であることを特徴とする機器情報管理方法。
【発明の詳細な説明】
【技術分野】
【０００１】
本発明は、プラントに配置されたフィールド機器の状態を示す機器情報を管理する機器情報管理システムに関する。
【背景技術】
【０００２】
プラントに配置されたセンサ等のフィールド機器の機器情報は、フィールド機器の上位にある機器管理装置を用いて監視され、保全作業に利用することができる。プラントにおける操業を監視する監視装置上でフィールド機器に機器情報に関する異常の可能性が発見された場合には、機器管理装置を用いて機器ごとにその異常の詳細（機器情報上のアラーム等の状態）を確認し、問題点を特定する。複数台の候補がある場合には、そのような確認のための操作を台数分繰り返す必要がある。
【先行技術文献】
【特許文献】
【０００３】
【特許文献１】特開２００３−１８６５２９号公報
【発明の概要】
【発明が解決しようとする課題】
【０００４】
しかし、同一プラント内で異常の可能性のある箇所が多数発見された場合には、機器ごとに機器情報の詳細を確認する必要があるため、作業に長時間を要する。また、フィールド機器の異常個所の特定には専門的知識が要求され、生産現場の保全員やオペレータが上記の作業を行うことは困難である。さらに、フィールド機器の異常個所を特定するためには、機器管理装置の必要な機能を起動する必要があり、フィールド機器の異常を漏れなく検出し、対処することは難しい。また、機器情報に基づいて問題点を特定することが難しく、必要な措置が取れない場合もある。
【０００５】
本発明の目的は、フィールド機器の状態を示す機器情報を有効に利用することができる機器情報管理システムを提供することにある。
【課題を解決するための手段】
【０００６】
本発明の機器情報管理システムは、プラントに配置されたフィールド機器の状態を示す機器情報を管理する機器情報管理システムにおいて、前記機器情報を前記フィールド機器から収集して履歴情報として蓄積する蓄積手段と、前記蓄積手段により蓄積された前記機器情報に基づく情報処理を実行する情報処理手段と、前記情報処理手段による前記情報処理の結果をレポートとして出力するレポート出力手段と、を備えることを特徴とする。
この機器情報管理システムによれば、蓄積された機器情報に基づく情報処理を実行し、情報処理の結果をレポートとして出力するので、フィールド機器の状態を示す機器情報を有効に利用することができる。
【０００７】
前記情報処理手段による前記情報処理は、前記フィールド機器における異常、または前記フィールド機器におけるイベントに関する情報処理であってもよい。
【０００８】
前記機器情報は時刻と対応付けられた情報であり、前記情報処理手段による前記情報処理の対象とされる前記機器情報は、それに対応付けられた前記時刻をキーとして抽出されたものであってもよい。
【０００９】
前記機器情報には当該フィールド機器の属性を示す属性情報が含まれ、前記情報処理手段による前記情報処理の対象とされる前記機器情報は、前記属性情報をキーとして抽出されたものであってもよい。
【００１０】
本発明の機器情報管理方法は、プラントに配置されたフィールド機器の状態を示す機器情報を管理する機器情報管理方法において、前記機器情報を前記フィールド機器から収集して蓄積する蓄積ステップと、前記蓄積ステップにより蓄積された前記機器情報に基づく情報処理を実行する情報処理ステップと、前記情報処理ステップによる前記情報処理の結果をレポートとして出力するレポート出力ステップと、をコンピュータに実行させ、前記情報処理ステップによる前記情報処理は、前記フィールド機器における異常、または前記フィールド機器におけるイベントに関する情報処理であることを特徴とする。
この機器情報管理方法によれば、蓄積された機器情報に基づく情報処理を実行し、情報処理の結果をレポートとして出力するので、フィールド機器の状態を示す機器情報を有効に利用することができる。
【発明の効果】
【００１１】
本発明の機器情報管理システムによれば、蓄積された機器情報に基づく情報処理を実行し、情報処理の結果をレポートとして出力するので、フィールド機器の状態を示す機器情報を有効に利用することができる。
【００１２】
本発明の機器情報管理方法によれば、蓄積された機器情報に基づく情報処理を実行し、情報処理の結果をレポートとして出力するので、フィールド機器の状態を示す機器情報を有効に利用することができる。
【図面の簡単な説明】
【００１３】
【図１】一実施形態の機器情報管理システムの構成を示すブロック図。
【図２】機器管理装置の動作を示すフローチャート。
【図３】フィールド機器の型式ごとに異常の発生状況等を示すレポートを例示する図。
【図４】機器タグごとのアラーム発生数を示すレポートを例示する図。
【発明を実施するための形態】
【００１４】
以下、本発明による機器情報管理システムの一実施形態について説明する。
【００１５】
図１は、本実施形態の機器情報管理システムの構成を示すブロック図である。
【００１６】
図１に示すように、プラントに配置されたフィールド機器１ａ，１ｂ，１ｃ，・・・の機器情報は、機器管理装置２を介してオンラインで格納部３に収集され、機器管理装置２において管理される。機器管理装置２は、フィールド機器１ａ，１ｂ，１ｃ，・・・の監視、操作を行うための操作監視装置の一部として、あるいは別の装置として構成される。
【００１７】
図１に示すように、機器管理装置２は、機器情報をフィールド機器１ａ，１ｂ，１ｃ，・・・からオンライン収集して格納部３に蓄積する蓄積手段２１と、格納部３に蓄積された上記機器情報に基づく情報処理を実行する情報処理手段２２と、情報処理手段２２による情報処理の結果をレポートとして出力するレポート出力手段２３と、を備える。
【００１８】
図２は、機器管理装置２の動作を示すフローチャートである。
【００１９】
図２のステップＳ１〜ステップＳ２は、蓄積手段２１の動作を示している。
【００２０】
図２のステップＳ１では、蓄積手段２１はフィールド機器１ａ，１ｂ，１ｃ，・・・の中から選択された１つのフィールド機器から機器情報を取得する。次に、ステップＳ２において、蓄積手段２１は、ステップＳ１で取得された機器情報を格納部３に格納し、ステップＳ１へ戻る。その後、ステップＳ１では、次のフィールド機器から機器情報を取得する。
【００２１】
このように、ステップＳ１〜ステップＳ２の繰り返しにより、蓄積手段２１はフィールド機器１ａ，１ｂ，１ｃ，・・・から順次、機器情報を取得し、格納部３に蓄積する。
【００２２】
機器情報には、当該フィールド機器の異常の有無や種類、当該フィールド機器で発生したイベント等に関する動的な情報、例えば、異常の種別、その異常の発生時刻および解消時刻、イベントの種別およびそのイベントの発生時刻、メンテナンス時期の到来の有無等が含まれる。また、これらの動的な情報には、当該フィールド機器を特定し、あるいは当該フィールド機器の属性を示す静的な情報が対応付けられる。静的な情報として、例えば、当該フィールド機器の型式、フィールド規格、ベンダー、機器タグなどがあり、これらの動的、静的な情報が各フィールド機器に関するレコードとして格納部３に蓄積される。上記のように各レコードには発生時刻等のタイムスタンプが付されるため、各レコードは各フィールド機器に対する機器管理のための履歴情報を構成することになる。
【００２３】
図２のステップＳ１１〜ステップＳ１５は、情報処理手段２２およびレポート出力手段２３の動作を示している。
【００２４】
図２のステップＳ１１では、機器管理装置２に対し、レポートの作成についてのユーザの指示を待って、ステップＳ１２へ進む。
【００２５】
ステップＳ１２では、レポートの作成に必要な機器データを格納部３から取得する。
【００２６】
次に、ステップＳ１３では、レポートの形式に即した雛形を格納部３から取得する。この雛形には、レポートの作成に必要な解析手法やレポートの出力形式等、レポートの作成に必要な情報が収納されている。
【００２７】
次に、ステップＳ１４では、ステップＳ１３で取得された雛形に従って、ステップＳ１２で取得された機器情報に対する解析を実行する。
【００２８】
次に、ステップＳ１５では、ステップＳ１４における解析結果を示すレポートを作成する。
【００２９】
次に、ステップＳ１６では、ステップＳ１５で作成されたレポートを表示画像あるいは印刷物として出力する。また、そのレポートを格納部３に保存し、ステップＳ１１へ戻る。
【００３０】
図３および図４は、ステップＳ１１〜ステップＳ１６の処理により、作成、出力されるレポートを例示する図である。
【００３１】
図３は、フィールド機器の型式（モデル）ごとに異常の発生状況等を示すレポートを例示している。このようなレポート作成時の解析手法やレポートの出力形式は雛形によって規定され、ユーザは雛形を介してレポートの種別を指定できる。
【００３２】
図３の例では、フィールド機器の型式ごとのレコード６１，６１，・・・が示されている。各レコード６１は、フィールド機器のフィールド規格（Type）を示す項５１ａ、型式（Model）を示す項５１ｂ、ベンダー（Vendor）を示す項５１ｃ、合計台数（Total）を示す項５１ｄ、重アラーム（Red）の発生数および発生率を示す項５１ｅ、軽アラーム（Yellow）の発生数および発生率を示す項５１ｆ、通信異常の発生数および発生率を示す項５１ｇとからなる。また、最下段６１Ａには、フィールド機器全体について、合計台数（Total）、重アラーム（Red）の発生数および発生率、軽アラーム（Yellow）の発生数および発生率、通信異常の発生数および発生率等が、それぞれ対応する項５１ｅ〜５１ｇの数字として示されている。
【００３３】
レポートの作成にあたり、解析の対象となる時期はユーザにより指定される。指定された時期は、上記の合計台数（Total）、重アラーム（Red）の発生数および発生率、軽アラーム（Yellow）の発生数および発生率等に反映される。例えば、レポートを作成した時点での機器の状態一覧（現時点での機器状態）が集計される。
【００３４】
図４は、ユーザにより指定された時期の機器タグごとのフィールド機器のアラーム数を示すレポートを例示している。
【００３５】
図４の例では、フィールド機器に付された機器タグごとのレコード６２，６２，・・・が示されている。各レコード６２は、フィールド機器の機器タグ（Device Tag）を示す項５２ａ、当該機器タグが付されたフィールド機器のフィールド規格（Type）および型式（Model）を示す項５２ｂ、当該機器タグが付されたフィールド機器のアラームの総数（Number）を示す項５２ｃ、当該機器タグが付されたフィールド機器の比率を示す項５２ｄとからなる。また、各レコード６２は、フィールド機器のアラームの総数（Number）の順に、上から配列されている。
【００３６】
また、最下段６２Ａには、レコード６２，６２，・・・に示されたフィールド機器全体でのアラームの合計、および比率が、それぞれ対応する項５２ｃおよび項５２ｄの数字として示されている。
【００３７】
図３および図４に示すようなレポートに対し、フィールド機器の属性を用いて絞り込みをかけることもできる。例えば、フィールド規格を指定し、対応するフィールド規格（例えば、ＦＦ−Ｈ１）に準拠するフィールド機器についてのみのレポート、あるいは当該フィールド規格ごとのレポートを作成することができる。また、ベンダーやフィールド機器の型式を指定することで、対応するベンダーや型式のフィールド機器についてのレポートを作成することができる。これにより、ベンダーや型式に固有の問題点などを抽出することができる。
【００３８】
さらに、特定の期間内に特定のアラームが発生したフィールド機器を指定することもできる。この場合、アラームが発生した各フィールド機器についての詳細情報を表示させることもできる。
【００３９】
例えば、現在アラームが発生しているフィールド機器の一覧を表示させるとともに、各フィールド機器についての詳細を展開表示させることもできる。このようなレポートの作成、出力処理をプラントの操業中に実行することにより、機器情報に関する異常の発生状況をリアルタイムに把握するとともに、対象となるフィールド機器の機器情報に迅速にアクセス可能となる。また、プラントにおける操業を監視する監視装置上で得られるアラーム等の情報と並行して、煩雑な操作を要することなく、対応するフィールド機器の機器情報を得ることが可能となる。このため、プラントの操業状況を監視するオペレータは、プラント操業上発生したアラームが、機器保全上の問題に由来するものかどうかの判断等を迅速に行うことができる。
【００４０】
上記のように、レポート作成時の解析手法やレポートの出力形式は雛形によって規定されるが、雛形はユーザによって作成、編集することができ、作成、編集された雛形は格納部３に保存することができる。また、格納部３に保存された雛形は、必要に際してユーザによって取り出され、これを利用することができる。したがって、例えば、知見のあるエンジニアが、出力されるレポートを見ながら、雛形を編集してゆき、問題点の特定のための適切な解析手法等を得た場合に、それを雛形として保存することができる。また、保存された雛形を利用することで、他のユーザであっても、当該解析手法に即したレポートを取得することができる。このように、保存された雛形を解析のための資源として広く利用することが可能となる。
【００４１】
また、作成されたレポートは格納部３に保存され、これを利用することができる。したがって、例えば、レポートに示された異常発生数、イベント発生数などを解析指標として管理し、その推移を監視することにより、設備の問題点、フィールド機器に対する保全作業の妥当性、保全作業の改善方法などを検討することができる。これにより、保全作業効率の向上やプラント設備の健全性の向上等を図ることができる。
【００４２】
以上のように、本実施形態の機器情報管理システムによれば、プラント内の複数のフィールド機器の状態を集計し、レポートとして示すことができるため、集計結果が分かり易く、問題の発見を容易なものとすることができる。また、過去の一定期間のイベントなどを集計し、レポートとして提示することにより、フィールド機器の潜在的な問題の発見等を支援することができる。例えば、フィールド機器に対する中長期的な管理方針などを策定するための情報を得ることもできる。さらに、機器情報をオンラインで収集し蓄積するため、機器情報を収集するための作業を要しない。さらにまた、知見のあるエンジニア等が作成した解析手法を雛形として保存し、これを利用することができるため、生産現場の保全員やオペレータ等であってもレポートを容易に作成できるとともに、フィールド機器の異常や問題点を容易に把握することが可能となる。
【００４３】
なお、本実施形態では、図２のステップＳ１１に示されるように、レポートの作成はユーザの指示を待って行われたが、ユーザ定義に基づき定期的に自動作成するようにしてもよい。
【００４４】
また、本実施形態では、機器管理装置２と格納部３は別の構成として図示しているが、実際には一つのハードウェアで構成されていてもよい。また、たとえば蓄積手段２１と格納部で第１のソフトウェアブロックを構成し、情報処理手段２２とレポート出力手段で第２のソフトウェアブロックを構成する、といったように、図１とは異なるブロック分けがされていてもよい。
【００４５】
本発明の適用範囲は上記実施形態に限定されることはない。本発明は、プラントに配置されたフィールド機器の状態を示す機器情報を管理する機器情報管理システムに対し、広く適用することができる。
【符号の説明】
【００４６】
２      機器管理装置（機器情報管理システム）
２１    蓄積手段
２２    情報処理手段
２３    レポート出力手段
【図１】
2011215917.tif 000003
【図２】
2011215917.tif 000004
【図３】
2011215917.tif 000005
【図４】
2011215917.tif 000006